(57)【要約】 【課題】受信系統の動作を停止させず、かつ、受信系統から取り外さなくても動作状態の確認が可能なプリセレクタを提供する。【解決手段】プリセレクタは、カプラユニット、フィルタユニット及びアンプユニットを具備する。カプラユニットは、入力されるＲＦ信号に、予め設定される周波数帯で診断装置から供給される診断入力信号を結合させる第１のカプラを備える。フィルタユニットは、前記周波数帯が通過帯域として設定されるバンドパスフィルタを備え、前記バンドパスフィルタにより前記ＲＦ信号に対して帯域制限を行う。アンプユニットは、前記帯域制限されたＲＦ信号を増幅するアンプと、前記増幅されたＲＦ信号から前記診断入力信号を取り出す第２のカプラとを備える。カプラユニットは、前記アンプユニットで取り出された診断入力信号を診断出力信号として前記診断装置へ出力する。【選択図】図２
2014192581.tif 000002
【特許請求の範囲】
【請求項１】
入力されるＲＦ（Radio Frequency）信号に、予め設定される周波数帯で診断装置から供給される診断入力信号を結合させる第１のカプラを備えるカプラユニットと、
前記周波数帯が通過帯域として設定されるバンドパスフィルタを備え、前記バンドパスフィルタにより前記ＲＦ信号に対して帯域制限を行うフィルタユニットと、
前記帯域制限されたＲＦ信号を増幅するアンプと、前記増幅されたＲＦ信号から前記診断入力信号を取り出す第２のカプラとを備えるアンプユニットと
を具備し、
前記カプラユニットは、前記アンプユニットで取り出された診断入力信号を診断出力信号として前記診断装置へ出力するプリセレクタ。
【請求項２】
前記アンプユニットは、
前記フィルタユニットで帯域制限されたＲＦ信号を、前記アンプを介して前記第２のカプラへ供給する第１の経路と、
前記フィルタユニットで帯域制限されたＲＦ信号を、前記アンプを介さずに前記第２のカプラへ供給する第２の経路と、
前記第１又は第２の経路を選択的に接続する切換器と
を備える請求項１記載のプリセレクタ。
【請求項３】
前記フィルタユニットは、
前記カプラユニットから供給されるＲＦ信号を、前記バンドパスフィルタを介して前記アンプユニットへ供給する第１の経路と、
前記カプラユニットから供給されるＲＦ信号を、前記バンドパスフィルタを介さずにアンプユニットへ供給する第２の経路と、
前記第１又は第２の経路を選択的に接続する切換器と
を備える請求項１記載のプリセレクタ。
【請求項４】
前記カプラユニットは、前記診断入力信号の出力先を前記第１のカプラ又は第３のカプラで切り換える切換器を備え、
前記フィルタユニットは、前記第３のカプラを備え、
前記第３のカプラは、前記カプラユニットから切り換えて出力される診断入力信号を、前記第１のカプラで前記診断入力信号が結合されずに前記バンドパスフィルタで帯域制限されたＲＦ信号に結合させる請求項１記載のプリセレクタ。
【請求項５】
前記カプラユニットは、前記第１のカプラに対する信号の入出力を切り換える切換器を備え、
前記第１のカプラは、前記入力されるＲＦ信号に含まれる診断信号を取り出し、前記診断信号を前記診断装置へ出力する請求項１記載のプリセレクタ。
【請求項６】
前記カプラユニットは、前記第２のカプラに対する信号の入出力を切り換える切換器を備え、
前記第２のカプラは、前記診断装置から供給される診断信号を、前記バンドパスフィルタで帯域制限されたＲＦ信号に結合させる請求項１記載のプリセレクタ。
【請求項７】
プリセレクタと、
予め設定される周波数帯で診断入力信号を前記プリセレクタへ出力し、前記診断入力信号に応答して前記プリセレクタから出力される診断出力信号と、前記診断入力信号とを比較することで前記プリセレクタを診断する診断装置と
を具備し、
前記プリセレクタは、
入力されるＲＦ（Radio Frequency）信号に、前記診断入力信号を結合させる第１のカプラを有するカプラユニットと、
前記周波数帯が通過帯域として設定されるバンドパスフィルタを有し、前記バンドパスフィルタにより前記ＲＦ信号に対して帯域制限を行うフィルタユニットと、
前記帯域制限されたＲＦ信号を増幅するアンプと、前記増幅されたＲＦ信号から前記診断入力信号を取り出す第２のカプラとを有するアンプユニットと
を備え、
前記カプラユニットは、前記アンプユニットで取り出された診断入力信号を前記診断出力信号として前記診断装置へ出力するプリセレクタ診断システム。
【請求項８】
前記アンプユニットは、
前記フィルタユニットで帯域制限されたＲＦ信号を、前記アンプを介して前記第２のカプラへ供給する第１の経路と、
前記フィルタユニットで帯域制限されたＲＦ信号を、前記アンプを介さずに前記第２のカプラへ供給する第２の経路と、
前記第１又は第２の経路を選択的に接続する切換器と
を有する請求項７記載のプリセレクタ診断システム。
【請求項９】
前記フィルタユニットは、
前記カプラユニットから供給されるＲＦ信号を、前記バンドパスフィルタを介して前記アンプユニットへ供給する第１の経路と、
前記カプラユニットから供給されるＲＦ信号を、前記バンドパスフィルタを介さずにアンプユニットへ供給する第２の経路と、
前記第１又は第２の経路を選択的に接続する切換器と
を有する請求項７記載のプリセレクタ診断システム。
【請求項１０】
前記カプラユニットは、前記診断入力信号の出力先を前記第１のカプラ又は第３のカプラで切り換える切換器を有し、
前記フィルタユニットは、前記第３のカプラを有し、
前記第３のカプラは、前記カプラユニットから切り換えて出力される診断入力信号を、前記第１のカプラで前記診断入力信号が結合されずに前記バンドパスフィルタで帯域制限されたＲＦ信号に結合させる請求項７記載のプリセレクタ診断システム。
【請求項１１】
前記カプラユニットは、前記第１のカプラに対する信号の入出力を切り換える切換器を有し、
前記第１のカプラは、前記入力されるＲＦ信号に含まれる診断信号を取り出し、前記診断信号を前記診断装置へ出力し、
前記診断装置は、前記診断信号を予め設定されるレベル値と比較することで、前記プリセレクタより前段に位置する構成要素を診断する請求項７記載のプリセレクタ診断システム。
【請求項１２】
前記カプラユニットは、前記第２のカプラに対する信号の入出力を切り換える切換器を有し、
前記第２のカプラは、前記診断装置から供給される診断信号を、前記バンドパスフィルタで帯域制限されたＲＦ信号に結合させて、後段に位置する構成要素へ出力し、
前記診断装置は、前記後段に位置する構成要素で取り出される前記診断信号を、予め設定されるレベル値と比較することで、前記プリセレクタより後段に位置する構成要素を診断する請求項７記載のプリセレクタ診断システム。
【発明の詳細な説明】
【技術分野】
【０００１】
本発明の実施形態は、通信信号を受信する受信装置で用いられるプリセレクタ及びこのプリセレクタを用いて構成されるプリセレクタ診断システムに関する。
【背景技術】
【０００２】
通信信号を受信する受信装置は、受信した通信信号を所定の周波数毎に解析するための、複数の受信機を備える。受信装置は、不要信号が受信機に入力されるのを防ぐため、受信機毎にプリセレクタを備える。
【０００３】
ところで、従来の受信装置では、プリセレクタの故障に由来して異常が発生した場合、故障したプリセレクタが属する受信系統の動作を全て停止させる必要がある。受信装置の操作者は、停止している受信系統からプリセレクタを取り外し、取り外したプリセレクタの切換動作確認及び入出力信号レベル等の測定を、点検用器材を用いて行い、その結果からプリセレクタの動作状態を確認する。
【先行技術文献】
【特許文献】
【０００４】
【特許文献１】特開２０１０−２３３０５６号公報
【発明の概要】
【発明が解決しようとする課題】
【０００５】
以上のように、従来、プリセレクタに故障が発生した場合、操作者は、受信系統の動作を停止させ、受信系統からプリセレクタを取り外し、取り外したプリセレクタが故障しているか否かを、点検用器材を用いて個別に点検する必要がある。しかしながら、受信装置は、常に動作している必要があるため、点検のために受信系統の動作を停止させることは望ましいことではない。また、点検の度に受信系統からプリセレクタを取り外すこと、及び、点検用器材を別途用意することは、操作者の負担となる。
【０００６】
そこで、目的は、受信系統の動作を停止させず、かつ、受信系統から取り外さなくても動作状態の確認が可能なプリセレクタ、及び、このプリセレクタを用いて構成されるプリセレクタ診断システムを提供することにある。
【課題を解決するための手段】
【０００７】
実施形態によれば、プリセレクタは、カプラユニット、フィルタユニット及びアンプユニットを具備する。カプラユニットは、入力されるＲＦ信号に、予め設定される周波数帯で診断装置から供給される診断入力信号を結合させる第１のカプラを備える。フィルタユニットは、前記周波数帯が通過帯域として設定されるバンドパスフィルタを備え、前記バンドパスフィルタにより前記ＲＦ信号に対して帯域制限を行う。アンプユニットは、前記帯域制限されたＲＦ信号を増幅するアンプと、前記増幅されたＲＦ信号から前記診断入力信号を取り出す第２のカプラとを備える。カプラユニットは、前記アンプユニットで取り出された診断入力信号を診断出力信号として前記診断装置へ出力する。
【図面の簡単な説明】
【０００８】
【図１】第１の実施形態に係るプリセレクタが備えられる受信装置の機能構成を示すブロック図である。
【図２】図１に示すプリセレクタの機能構成を示すブロック図である。
【図３】第１の実施形態に係るプリセレクタのその他の機能構成を示すブロック図である。
【図４】第２の実施形態に係るプリセレクタの機能構成を示すブロック図である。
【図５】第３の実施形態に係るプリセレクタの機能構成を示すブロック図である。
【発明を実施するための形態】
【０００９】
以下、実施の形態について、図面を参照して説明する。
【００１０】
（第１の実施形態）  
図１は、第１の実施形態に係るプリセレクタ１０−１〜１０−ｎが備えられる受信装置の機能構成を示すブロック図である。図１に示す受信装置は、アンテナ部２０、分配部３０、プリセレクタ１０−１〜１０−ｎ、抽出部４０−１〜４０−ｎ、受信機５０−１〜５０−ｎ及び診断装置６０を具備する。プリセレクタ１０−１、抽出部４０−１及び受信機５０−１から構成される１つの受信系統は、例えば、１つのラックに構築される。プリセレクタ１０−１、抽出部４０−１及び受信機５０−１は、ラック内におけるシャーシにそれぞれ装着される。
【００１１】
分配部３０は、アンテナ部２０で受信されるＲＦ（Radio Frequency）帯の通信信号を、各受信系統のプリセレクタ１０−１〜１０−ｎへ分配する。
【００１２】
プリセレクタ１０−１は、分配部３０で分配される通信信号に含まれる不要信号を除去する。プリセレクタ１０−１は、不要信号を除去した通信信号を抽出部４０−１へ出力する。なお、プリセレクタ１０−２〜１０−ｎの動作は、プリセレクタ１０−１の動作と同様である。
【００１３】
抽出部４０−１は、プリセレクタ１０−１から出力される通信信号から、予め設定された周波数及び変調方式の信号を抽出する。抽出部４０−１は、抽出した信号を受信機５０−１へ出力する。なお、抽出部４０−２〜４０−ｎの動作は、抽出部４０−１の動作と同様である。
【００１４】
受信機５０−１は、抽出部４０−１で抽出される信号を解析する。なお、受信機５０−２〜５０−ｎの動作は、受信機５０−１の動作と同様である。
【００１５】
図２は、図１に示すプリセレクタ１０−１の機能構成を示すブロック図である。なお、図１に示すプリセレクタ１０−２〜１０−ｎの構成は、図２に示すプリセレクタ１０−１の構成と同様である。図２に示すプリセレクタ１０−１は、カプラユニット１１、フィルタユニット１２、アンプユニット１３及び制御部１４を備える。
【００１６】
カプラユニット１１は、カプラ（方向性結合器）１１１、切換器（ＳＰＤＴ）１１２，１１３を備える。
【００１７】
カプラ１１１は、分配部３０から供給される通信信号から、分配部３０より前段の構成機器の動作状態を診断するための第１の診断信号を取り出す。また、カプラ１１１は、診断装置６０から切換器１１２を介して供給される診断入力信号を、通信信号に結合させてフィルタユニット１２へ出力する。
【００１８】
切換器１１２は、制御部１４の指示に従い、カプラ１１１又はアンプユニット１３に設けられるカプラ１３５と接続する。具体的には、制御部１４から第１の切換信号が与えられると、切換器１１２は、カプラ１１１と接続する。ここで、第１の切換信号とは、切換器１１２に対してカプラ１１１と接続し、切換器１１３に対してカプラ１３５と接続するように指示する信号である。カプラ１１１と接続する場合、切換器１１２は、診断装置６０から供給される診断入力信号を、カプラ１１１へ出力する。また、制御部１４から第２の切換信号が与えられると、切換器１１２は、カプラ１３５と接続する。ここで、第２の切換信号とは、切換器１１２に対してカプラ１３５と接続し、切換器１１３に対してカプラ１１１と接続するように指示する信号である。カプラ１３５と接続する場合、切換器１１２は、診断装置６０から供給される第２の診断信号を、カプラ１３５へ出力する。
【００１９】
切換器１１３は、制御部１４の指示に従い、カプラ１１１又はカプラ１３５と接続する。具体的には、切換器１１３は、制御部１４から第１の切換信号が与えられると、カプラ１３５と接続する。切換器１１３は、カプラ１３５により取り出される診断入力信号を受け取り、診断出力信号として診断装置６０へ出力する。
【００２０】
また、切換器１１３は、制御部１４から第２の切換信号が与えられると、カプラ１１１と接続する。切換器１１３は、カプラ１１１により取り出される第１の診断信号を受け取り、受け取った第１の診断信号を診断装置６０へ出力する。
【００２１】
フィルタユニット１２は、切換器（ＳＰ８Ｔ）１２１、バンドパスフィルタ（ＢＰＦ）１２２−１〜１２２−８及び切換器（ＳＰ８Ｔ）１２３を備える。
【００２２】
切換器１２１は、制御部１４の指示に従い、バンドパスフィルタ１２２−１〜１２２−８のいずれかのバンドパスフィルタと接続する。切換器１２３は、制御部１４の指示に従い、切換器１２１が接続するバンドパスフィルタと接続する。
【００２３】
バンドパスフィルタ１２２−１〜１２２−８は、通過帯域がそれぞれ設定されている。切換器１２１，１２３と接続するバンドパスフィルタは、切換器１２１から供給される通信信号のうち、設定される通過帯域に対応する帯域の通信信号を通過させる。バンドパスフィルタは、通過させた通信信号をアンプユニット１３へ出力する。
【００２４】
ここで、診断装置６０から出力される診断入力信号は、切換器１２１，１２３と接続するバンドパスフィルタの通過帯域と対応した周波数帯となるように設定されている。切換器１２１，１２３と接続するバンドパスフィルタは、切換器１２１から供給される通信信号に診断入力信号が含まれる場合、この診断入力信号を通過させる。バンドパスフィルタは、通過させた診断入力信号をアンプユニット１３へ出力する。
【００２５】
アンプユニット１３は、可変アッテネータ１３１、切換器（ＳＰＤＴ）１３２、アンプ１３３、切換器（ＳＰＤＴ）１３４及びカプラ１３５を備える。
【００２６】
可変アッテネータ１３１は、フィルタユニット１２から供給される通信信号を減衰させる。可変アッテネータ１３１は、減衰量を、制御部１４からの指示に従って設定する。可変アッテネータ１３１は、減衰させた通信信号を切換器１３２へ出力する。また、通信信号に診断入力信号が含まれている場合、可変アッテネータ１３１は、通信信号と共に診断入力信号を減衰させる。
【００２７】
切換器１３２は、制御部１４の指示に従い、アンプ１３３又は切換器１３４と接続する。具体的には、制御部１４から第３の切換信号が与えられると、切換器１３２は、アンプ１３３と接続する。ここで、第３の切換信号とは、切換器１３２に対してアンプ１３３と接続し、切換器１３４に対してアンプ１３３と接続するように指示する信号である。アンプ１３３と接続する場合、切換器１３２は、可変アッテネータ１３１から供給される通信信号をアンプ１３３へ出力する。また、制御部１４から第４の切換信号が与えられると、切換器１３２は、切換器１３４と接続する。ここで、第４の切換信号とは、切換器１３２と切換器１３４とが接続するように指示する信号である。切換器１３４と接続する場合、切換器１３２は、可変アッテネータ１３１から供給される通信信号を切換器１３４へ出力する。
【００２８】
アンプ１３３は、供給される通信信号を増幅し、増幅した通信信号を切換器１３４へ出力する。通信信号に診断入力信号が含まれる場合、アンプ１３３は、通信信号と共に、診断入力信号を増幅する。
【００２９】
切換器１３４は、制御部１４の指示に従い、アンプ１３３又は切換器１３２と接続する。具体的には、切換器１３４は、制御部１４から第３の切換信号が与えられると、アンプ１３３と接続する。切換器１３４は、アンプ１３３で増幅される通信信号をカプラ１３５へ出力する。
【００３０】
また、切換器１３４は、制御部１４から第４の切換信号が与えられると、切換器１３２と接続する。切換器１３４は、切換器１３２から供給される通信信号をカプラ１３５へ出力する。
【００３１】
カプラ１３５は、切換器１３４から供給される通信信号に診断入力信号が含まれる場合、通信信号から診断入力信号を取り出す。カプラ１３５は、取り出した診断入力信号を切換器１１３へ出力し、診断入力信号が取り出された通信信号を抽出部４０−１へ出力する。
【００３２】
また、カプラ１３５は、切換器１１２から第２の診断信号が与えられると、この第２の診断信号を通信信号に結合させて抽出部４０−１へ出力する。
【００３３】
制御部１４は、プリセレクタ１０−１における各ユニットの動作を制御する。
【００３４】
具体的には、制御部１４は、診断装置６０からプリセレクタ１０−１〜１０−ｎの動作状態を確認する旨の指示を受けると、切換器１１２に対してカプラ１１１と接続し、かつ、切換器１１３に対してカプラ１３５と接続するように指示する第１の切換信号と、切換器１３２に対してアンプ１３３と接続し、かつ、切換器１３４に対してアンプ１３３と接続するように指示する第３の切換信号とを出力する。また、制御部１４は、フィルタユニット１２又はアンプユニット１３に故障があると診断した場合において、フィルタユニット１２の故障であるか、アンプユニット１３の故障であるかを判別する旨の指示を受けると、切換器１３２と切換器１３４とが接続するように指示する第４の切換信号を出力する。
【００３５】
また、制御部１４は、プリセレクタ１０−１〜１０−ｎより前段に位置する装置の動作状態、又は、プリセレクタ１０−１〜１０−ｎより後段に位置する装置の動作状態を診断する旨の指示を受けると、切換器１１２に対してカプラ１３５と接続し、かつ、切換器１１３に対してカプラ１１１と接続するように指示する第２の切換信号を出力する。
【００３６】
また、制御部１４は、バンドパスフィルタ１２２−１〜１２２−８のいずれのバンドパスフィルタと接続するかの指示を切換器１２１，１２３へ出力する。また、制御部１４は、可変アッテネータ１３１における可変量を設定する。
【００３７】
図１に示す診断装置６０は、プリセレクタ１０−１〜１０−ｎと共に、プリセレクタ診断システムを構築する。診断装置６０は、プリセレクタ１０−１〜１０−ｎの動作状態、プリセレクタ１０−１〜１０−ｎより前段に位置する装置の動作状態、又は、プリセレクタ１０−１〜１０−ｎより後段に位置する装置の動作状態を診断する。
【００３８】
プリセレクタ１０−１の動作状態を診断する場合、診断装置６０は、その旨を制御部１４へ通知する。このとき、診断装置６０は、フィルタユニット１２で設定されるバンドパスフィルタの通過帯域と対応した周波数帯の診断入力信号を切換器１１２へ出力する。このとき、診断入力信号の波形は、通信信号の検出を乱さない波形であればよく、例えば、ＣＷである。
【００３９】
診断装置６０は、出力した診断入力信号と、診断出力信号とを比較し、例えば、両信号のレベル差が予め設定される差を超える場合、フィルタユニット１２又はアンプユニット１３に故障があると診断する。
【００４０】
また、フィルタユニット１２又はアンプユニット１３に故障があると診断した場合において、フィルタユニット１２の故障であるか、アンプユニット１３の故障であるかを判別する場合には、診断装置６０は、その旨を制御部１４へ通知する。診断装置６０は、出力した診断入力信号と、このときの診断出力信号とを比較し、例えば、両信号のレベル差が予め設定される差を超える場合、フィルタユニット１２に故障があると診断する。一方、両信号のレベル差が予め設定される差を超えない場合、診断装置６０は、アンプユニット１３に故障があると診断する。
【００４１】
また、診断装置６０は、プリセレクタ１０−１より前段に位置する構成要素の動作状態を診断する場合、その旨を制御部１４へ通知する。診断装置６０は、予め有するレベル値と、カプラ１１１により取り出される第１の診断信号のレベル値とを比較し、例えば、両信号のレベル差が予め設定される差を超える場合、プリセレクタ１０−１より前段に位置する構成要素で異常が発生したと判断する。
【００４２】
また、診断装置６０は、プリセレクタ１０−１より後段に位置する構成要素の動作状態を診断する場合、その旨を制御部１４へ通知する。このとき、診断装置６０は、第２の診断信号を切換器１１２を介してアンプユニット１３のカプラ１３５へ出力する。第２の診断信号は、カプラ１３５から、プリセレクタ１０−１〜１０−ｎより後段に位置する構成要素へ出力される。この第２の診断信号は、プリセレクタ１０−１〜１０−ｎより後段に位置する構成要素で取り出され、診断装置６０へ供給される。診断装置６０は、予め有するレベル値と、後段の装置から取り出される第２の診断信号のレベル値とを比較し、例えば、両信号のレベル差が予め設定される差を超える場合、プリセレクタ１０−１より後段に位置する構成要素で異常が発生したと判断する。
【００４３】
なお、上記説明では、診断装置６０は、プリセレクタ１０−１に対する診断を行う場合を例に説明したが、これに限定されない。診断装置６０は、プリセレクタ１０−２〜１０−ｎに対しても同様に動作状態の診断を行う。
【００４４】
以上のように、第１の実施形態では、プリセレクタ１０−１〜１０−ｎは、カプラユニット１１、フィルタユニット１２及びカプラ１３５を有するアンプユニット１３を備える。カプラユニット１１は、診断装置６０から供給される診断入力信号をフィルタユニット１２へ出力する。そして、カプラユニット１１は、フィルタユニット１２及びアンプユニット１３を経由してきた診断入力信号を、カプラ１３５から受け取り、診断出力信号として診断装置６０へ出力するようにしている。これにより、プリセレクタ１０−１〜１０−ｎの動作状態は、診断入力信号と、診断出力信号とを比較することで、実際の稼働状態に近い状態で診断されることとなる。また、制御部１４によるプリセレクタ１０−１の制御が正常に動作しているか否かが判断されることとなる。
【００４５】
したがって、第１の実施形態に係るプリセレクタ１０−１〜１０−ｎによれば、受信系統の動作を停止させず、かつ、受信系統から取り外さなくても動作状態を確認することができる。また、第１の実施形態に係るプリセレクタ診断システムによれば、受信系統の動作を停止させず、かつ、受信系統からプリセレクタを取り外さなくても、プリセレクタの動作状態を確認することができる。これにより、プリセレクタが複数ある場合であっても、点検時間を短縮することが可能となる。また、点検用器材を別途用意する必要がなくなるため、整備性が向上することとなる。
【００４６】
また、第１の実施形態に係るプリセレクタ１０−１〜１０−ｎは、アンプユニット１３に、切換器１３２，１３４を設けることにより、アンプ１３３を経由しない経路を有するようにしている。これにより、プリセレクタ１０−１〜１０−ｎは、アンプユニット１３を動作状態の診断から除外することが可能となる。すなわち、診断装置６０は、プリセレクタ１０−１〜１０−ｎ内に生じた故障の要因が、フィルタユニット１２によるものか、アンプユニット１３によるものかを特定することが可能となる。
【００４７】
また、第１の実施形態に係るカプラユニット１１は、供給される通信信号に含まれる第１の診断信号を取り出し、取り出した第１の診断信号を診断装置６０へ出力するようにしている。これにより、診断装置６０は、プリセレクタ１０−１〜１０−ｎより前段の装置で発生する故障を判別することが可能となる。すなわち、診断装置６０は、受信系統を構成するいずれの装置で故障が生じたかを判断することが可能となる。
【００４８】
また、第１の実施形態に係るアンプユニット１３のカプラ１３５は、通信信号に第２の診断信号を含めて抽出部４０−１へ出力する。そして、診断装置６０は、後段の装置で取り出される第２の診断信号を受け取るようにしている。これにより、診断装置６０は、プリセレクタ１０−１〜１０−ｎより後段の装置で発生する故障を判別することが可能となる。すなわち、診断装置６０は、受信系統を構成するいずれの装置で故障が生じたかを判断することが可能となる。
【００４９】
なお、第１の実施形態では、プリセレクタ１０−１に１つの通信信号が入力される場合を例に説明したが、これに限定されない。入力される通信信号が２つ以上であっても良い。例えば、図３に示すように、プリセレクタ１０−１には、２つの通信信号が入力され、切換器（ＳＰＤＴ）１５により一方の通信信号がフィルタユニット１２へ供給されるようにしても構わない。このとき、カプラユニット１１は、２つ目の通信信号から第１の診断信号を取り出し、又は、２つ目の通信信号へ診断入力信号を結合させるカプラ１１４をさらに備える。また、切換器１１２，１１３は、ＳＰ３Ｔとなる。
【００５０】
（第２の実施形態）  
図４は、第２の実施形態に係るプリセレクタ７０の機能構成を示すブロック図である。図４に示すプリセレクタ７０は、カプラユニット１１、フィルタユニット７１、アンプユニット７２及び制御部７３を備える。
【００５１】
フィルタユニット７１は、切換器（ＳＰＤＴ）７１１，７１２、切換器１２１，１２３及びバンドパスフィルタ１２２−１〜１２２−８を備える。
【００５２】
切換器７１１は、制御部７３の指示に従い、切換器１２１又は切換器７１２と接続する。具体的には、制御部７３から第５の切換信号が与えられると、切換器７１１は、切換器１２１と接続する。ここで、第５の切換信号とは、切換器７１１に対して切換器１２１と接続し、切換器７１２に対して切換器１２３と接続するように指示する信号である。切換器１２１と接続する場合、切換器７１１は、カプラユニット１１から供給される通信信号を切換器１２１へ出力する。
【００５３】
また、制御部７３から第６の切換信号が与えられると、切換器７１１は、切換器７１２と接続する。ここで、第６の切換信号とは、切換器７１１と切換器７１２とが接続するように指示する信号である。切換器７１２と接続する場合、切換器７１１は、カプラユニット１１から供給される通信信号を切換器７１２へ出力する。
【００５４】
アンプユニット７２は、可変アッテネータ１３１、アンプ１３３及びカプラ１３５を備える。なお、図４に示すアンプユニット７２は、図２に示すアンプユニット１３と比較し、切換器１３２，１３４を含まない構造となっている。
【００５５】
制御部７３は、診断装置６０からプリセレクタ７０の動作状態を確認する旨の指示を受けると、第１の切換信号と、切換器７１１に対して切換器１２１と接続し、かつ、切換器７１２に対して切換器１２３と接続するように指示する第５の切換信号とを出力する。また、制御部７３は、フィルタユニット７１又はアンプユニット７２に故障があると診断した場合において、フィルタユニット７１の故障であるか、アンプユニット７２の故障であるかを判別する旨の指示を受けると、切換器７１１と切換器７１２とが接続するように指示する第６の切換信号を出力する。
【００５６】
また、制御部１４は、プリセレクタ７０より前段に位置する装置の動作状態、又は、プリセレクタ７０より後段に位置する装置の動作状態を診断する旨の指示を受けると、第２の切換信号を出力する。
【００５７】
以上のように、第２の実施形態では、プリセレクタ７０は、カプラユニット１１、フィルタユニット７１及びカプラ１３５を有するアンプユニット７２を備える。カプラユニット１１は、診断装置６０から供給される診断入力信号をフィルタユニット７１へ出力する。そして、カプラユニット１１は、フィルタユニット７１及びアンプユニット７２を経由してきた診断入力信号を、カプラ１３５から受け取り、診断出力信号として診断装置６０へ出力するようにしている。これにより、プリセレクタ７０の動作状態は、診断入力信号と、診断出力信号とを比較することで、実際の稼働状態に近い状態で診断されることとなる。
【００５８】
したがって、第２の実施形態に係るプリセレクタ７０によれば、受信系統の動作を停止させず、かつ、受信系統から取り外さなくても動作状態を確認することができる。また、第２の実施形態に係るプリセレクタ診断システムによれば、受信系統の動作を停止させず、かつ、受信系統からプリセレクタを取り外さなくても、プリセレクタの動作状態を確認することができる。
【００５９】
また、第２の実施形態では、フィルタユニット７１は、切換器７１１，７１２を備えることで、バンドパスフィルタ１２２−１〜１２２−８を経由しない経路を有する。一方、アンプユニット７２は、図２に示すアンプユニット１３のように、アンプ１３３を経由する経路を有していない。これにより、プリセレクタ７０は、フィルタユニット７１を動作状態の診断から除外することが可能となる。すなわち、プリセレクタ７０内に生じた故障の要因が、フィルタユニット７１によるものか、アンプユニット７２によるものかが特定されることとなる。
【００６０】
（第３の実施形態）  
図５は、第３の実施形態に係るプリセレクタ８０の機能構成を示すブロック図である。図５に示すプリセレクタ８０は、カプラユニット８１、フィルタユニット８２、アンプユニット７２及び制御部８３を備える。
【００６１】
カプラユニット８１は、カプラ１１１、切換器（ＳＰ３Ｔ）８１１，８１２を備える。
【００６２】
切換器８１１は、制御部８３の指示に従い、カプラ１１１、フィルタユニット８２に設けられるカプラ８２１又はアンプユニット７２に設けられるカプラ１３５と接続する。具体的には、制御部８３から第７の切換信号が与えられると、切換器８１１は、カプラ１１１と接続する。ここで、第７の切換信号とは、切換器８１１に対してカプラ１１１と接続し、切換器８１２に対してカプラ１３５と接続するように指示する信号である。カプラ１１１と接続する場合、切換器８１１は、診断装置６０から供給される診断入力信号を、カプラ１１１へ出力する。
【００６３】
また、制御部８３から第８の切換信号が与えられると、切換器８１１は、カプラ８２１と接続する。ここで、第８の切換信号とは、切換器８１１に対してカプラ８２１と接続し、切換器８１２に対してカプラ１３５と接続するように指示する信号である。カプラ８２１と接続する場合、切換器８１１は、診断装置６０から供給される診断入力信号を、カプラ８２１へ出力する。
【００６４】
また、制御部８３から第９の切換信号が与えられると、切換器８１１は、カプラ１３５と接続する。ここで、第９の切換信号とは、切換器８１１に対してカプラ１３５と接続し、切換器８１２に対してカプラ１１１と接続するように指示する信号である。カプラ１３５と接続する場合、切換器８１１は、診断装置６０から供給される第２の診断信号を、カプラ１３５へ出力する。
【００６５】
切換器８１２は、制御部８３の指示に従い、カプラ１１１、カプラ８２１又はカプラ１３５と接続する。具体的には、切換器８１２は、制御部８３から第７の切換信号が与えられると、カプラ１３５と接続する。切換器８１２は、カプラ１３５により取り出される診断入力信号を受け取り、診断出力信号として診断装置６０へ出力する。
【００６６】
また、切換器８１２は、制御部８３から第８の切換信号が与えられると、カプラ１３５と接続する。切換器８１２は、カプラ１３５により取り出される診断入力信号を受け取り、診断出力信号として診断装置６０へ出力する。
【００６７】
また、切換器８１２は、制御部８３から第９の切換信号が与えられると、カプラ１１１と接続する。切換器８１２は、カプラ１１１により取り出される第１の診断信号を受け取り、受け取った第１の診断信号を診断装置６０へ出力する。
【００６８】
フィルタユニット８２は、切換器１２１、バンドパスフィルタ１２２−１〜１２２−８、切換器１２３及びカプラ８２１を備える。
【００６９】
カプラ８２１は、診断装置６０から切換器８１１を介して供給される診断入力信号を、通信信号に結合させてアンプユニット７２へ出力する。
【００７０】
制御部８３は、診断装置６０からプリセレクタ８０の動作状態を確認する旨の指示を受けると、切換器８１１に対してカプラ１１１と接続し、かつ、切換器８１２に対してカプラ１３５と接続するように指示する第７の切換信号を出力する。また、制御部８３は、フィルタユニット８２又はアンプユニット７２に故障があると診断した場合において、フィルタユニット８２の故障であるか、アンプユニット７２の故障であるかを判別する旨の指示を受けると、切換器８１１に対してカプラ８２１と接続し、かつ、切換器８１２に対してカプラ１３５と接続するように指示する第８の切換信号を出力する。
【００７１】
また、制御部８３は、プリセレクタ８０より前段に位置する装置の動作状態、又は、プリセレクタ８０より後段に位置する装置の動作状態を診断する旨の指示を受けると、切換器８１１に対してカプラ１３５と接続し、かつ、切換器８１２に対してカプラ１１１と接続するように指示する第９の切換信号を出力する。
【００７２】
以上のように、第３の実施形態では、プリセレクタ８０は、カプラユニット８１、フィルタユニット８２及びカプラ１３５を有するアンプユニット７２を備える。カプラユニット８１は、診断装置６０から供給される診断入力信号をフィルタユニット８２へ出力する。そして、カプラユニット８１は、フィルタユニット８２及びアンプユニット７２を経由してきた診断入力信号を、カプラ１３５から受け取り、診断出力信号として診断装置６０へ出力するようにしている。これにより、プリセレクタ８０の動作状態は、診断入力信号と、診断出力信号とを比較することで、実際の稼働状態に近い状態で診断されることとなる。
【００７３】
したがって、第３の実施形態に係るプリセレクタ８０によれば、受信系統の動作を停止させず、かつ、受信系統から取り外さなくても動作状態を確認することができる。また、第３の実施形態に係るプリセレクタ診断システムによれば、受信系統の動作を停止させず、かつ、受信系統からプリセレクタを取り外さなくても、プリセレクタの動作状態を確認することができる。
【００７４】
また、第３の実施形態では、カプラユニット８１は、切換器８１１，８１２を備えることで、診断入力信号の出力先を、カプラ１１１と、フィルタユニット８２に備えられるカプラ８２１とで切り換えるようにしている。これにより、診断入力信号の出力先をカプラ８２１とした場合、プリセレクタ８０は、フィルタユニット８２を動作状態の診断から除外することが可能となる。すなわち、プリセレクタ８０内に生じた故障の要因が、フィルタユニット８２によるものか、アンプユニット７２によるものかが特定されることとなる。
【００７５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７６】
１０−１〜１０−ｎ…プリセレクタ、１１…カプラユニット、１１１，１１４…カプラ、１１２，１１３…切換器、１２…フィルタユニット、１２１，１２３…切換器、１２２−１〜１２２−８…バンドパスフィルタ、１３…アンプユニット、１３１…可変アッテネータ、１３２，１３４…切換器、１３３…アンプ、１３５…カプラ、１４…制御部、２０…アンテナ部、３０…分配部、４０−１〜４０−ｎ…抽出部、５０−１〜５０−ｎ…受信機、６０…診断装置、７０…プリセレクタ、７１…フィルタユニット、７１１，７１２…切換器、７２…アンプユニット、７３…制御部、８０…プリセレクタ、８１…カプラユニット、８１１，８１２…切換器、８２…フィルタユニット、８２１…カプラ、８３…制御部
【図１】
2014192581.tif 000003
【図２】
2014192581.tif 000004
【図３】
2014192581.tif 000005
【図４】
2014192581.tif 000006
【図５】
2014192581.tif 000007